(57)【要約】【課題】各店舗のテーブルやカウンタ上に商品の販売・サービスの提供に関する注文を入力するディスプレイを配置することにより、店舗内の各顧客が商品の販売・サービスの提供に関する注文を入力できるようになっていて、かつ顧客によって選択された商品の販売・サービスの提供に関する注文を商品販売・サービス提供事業者が迅速に対応できるようにするものである。【解決手段】商品の販売・サービスの提供に関する注文を入力するディスプレイ、ＰＯＳレジ用機器およびコントロールセンタとで構成され、前記商品の販売・サービスの提供に関する注文を入力するディスプレイの画面に設けた入力手段を操作することにより、商品販売・サービス提供事業者に対して商品の販売・サービスの提供に関する注文をＦＡＸ送信できるようにしたことを特徴とする。【選択図】  図１
2010079607.tif 000002
【特許請求の範囲】
【請求項１】
商品の販売・サービスの提供に伴って精算する会計処理システムにおいて、
この会計処理システムが、商品の販売・サービスの提供に関する注文を入力するディスプレイ、ＰＯＳレジ用機器およびコントロールセンタとで構成され、
前記ディスプレイは、各店舗のテーブルやカウンタ上に配置されており、顧客が商品の販売・サービスの提供に関する注文を入力できるようになっていて、かつ顧客によって選択された商品の販売・サービスの提供に関する注文をバーコードに記憶させたチケットやクーポン券、サービス券を発行するプリンタを備えており、
前記ＰＯＳレジ用機器は、商品の販売・サービスの提供の精算を行なうための、モニタ画面を備えたＰＯＳレジと、
ＰＯＳレジに接続され、商品の販売・サービスの提供に関する注文をバーコードに記憶させたチケットやクーポン券、サービス券のバーコード情報を読み取るバーコードリーダとを備えており、
コントロールセンタは、商品販売・サービス提供事業者に対して商品の販売・サービスの提供に関する注文をＦＡＸ送信する機能、および前記商品の販売・サービスの提供に関する注文を入力するディスプレイの画面に各種のコンテンツ情報を表示するためのコンテンツの作成およびコンテンツの配信機能を備えており、
前記商品の販売・サービスの提供に関する注文を入力するディスプレイの画面に設けた入力手段を操作することにより、商品販売・サービス提供事業者に対して商品の販売・サービスの提供に関する注文をＦＡＸ送信できるようにしたことを特徴とする商品販売・サービス提供のための会計処理システム。
【請求項２】
コンテンツ情報を構成するコンテンツの内容が、商品の販売・サービスの提供のための各種情報、道路情報や観光情報、各種のイベント情報、動画ＣＭ等の広告情報、特売情報、占い情報や心理テスト情報、レシピ等の献立情報、チケットやクーポン券、サービス券の発行情報等から選ばれてなることを特徴とする請求項１に記載の商品販売・サービス提供のための会計処理システム。
【請求項３】
コンテンツ情報が、各曜日ごとや午前と午後、時間や分単位、あるいは予め定めた提供順序に応じたスケジュールで配信されてなることを特徴とする請求項１または２に記載の商品販売・サービス提供のための会計処理システム。
【請求項４】
コンテンツ情報の出力が、プリンタによる印刷、携帯型端末へのデータの提供等から選ばれてなることを特徴とする請求項１ないし３のいずれかに記載の商品販売・サービス提供のための会計処理システム。
【請求項５】
携帯型端末へのデータの提供が、無線通信、ケーブル接続、記憶媒体の供与等による、カーナビやＰＤＡ、携帯電話、ＰＨＳ、車載テレビ等への画像データの提供からなることを特徴とする請求項４に記載の商品販売・サービス提供のための会計処理システム。
【発明の詳細な説明】
【技術分野】
【０００１】
この発明は各種の商品の販売店あるいはサービスを提供する店において、顧客からの注文を受けてその注文に応じた商品の販売やサービスの提供を行うために使用する商品販売・サービス提供のための会計処理システムに関し、その精算とともに注文に応じた商品の販売やサービスの提供を行う事業者にその注文を発注することができるようにした商品販売・サービス提供のための会計処理システムに関するものである。
【背景技術】
【０００２】
従来、高速道路のサービスエリアやスーパーマーケット、専門店の複合施設等の大型施設、アミューズメント施設等においては、顧客が店頭等に表示された価格表やメニューを見て、個々に店員に口頭で商品の購入やサービスの提供を受けるための注文をするといった注文処理が主流である。このような場合の自動化の例としては、例えば顧客の持ってきた商品等に付されたバーコードを店員がバーコードリーダで読み取って会計処理する方法が取られている。
【０００３】
その場合、ＰＯＳレジの前に顧客の行列ができる場合が多く、一般的には、そのような顧客に対し、レジの近傍に設置した電光表示板等に、文字情報等で店内の当日あるいは近日のイベントや特売情報、を報知することが行なわれているに過ぎなかった。
【０００４】
そこで近年、顧客に対して次のようなサービスが提供されるようになっている。
１．「商品販売・サービス提供のための会計処理システム」（特開２００２−１９７１６１公報、特許文献１参照）
ａ）顧客がタッチパネルで選択した注文メニューとともに、関連する広告・役立情報が出力される。
ｂ）広告・役立情報がコンテンツ作成業者端末から配信される。
２．「飲食店サービスシステム」（特開２０００−１２３０８８公報、特許文献２参照）
ａ）顧客が客席側のタッチパネルで注文メニューを選択する。
ｂ）プリンタにより飲食金額に応じたサービス券を印字発行する。
３．「商品販売登録データ処理装置」（特開平９−２７０７９号公報、特許文献３参照）
ａ）顧客の買上げ金額に応じてくじ引き、駐車場サービス券、金券、引換券を発行する。
４．「飲食店システム」（特開２００１−３０７２３４公報、特許文献４参照）
ａ）客席側モニタに店の広告、スポンサー付きのＣＭ、その他の情報を顧客の選択で表示する。
【０００５】
上述のように、顧客は自分に商品販売に伴う精算やサービスの提供の順が来るまでの間は、例えば店内の買い物客の買い物風景を見る、あるいは窓から景色を眺めるといった、客自らの手段によって時間を費やす以外には有益な情報提供といった環境にないという問題があった。
【０００６】
また、前記従来技術において、例えばＰＯＳレジの前にできた顧客の行列中の各顧客に対し、レジの近傍に設置した電光表示板等に、文字情報等で店内の当日あるいは近日のイベントや特売情報、を報知することが行なわれていたとしてもそれだけであり、顧客にとってはすでに買い物の終わったあとであるために、あまり魅力を与えることがなかった。
【０００７】
さらに、上述のようにＰＯＳレジのモニタに店の広告、スポンサー付きのＣＭ、その他の情報を流しているケースにおいても、一過性の情報を提供しているに過ぎないのが現状である。例えば、ＰＯＳレジのモニタに道路情報や観光情報、各種のイベント情報、特売情報等を流したとしても、それを結果的にどのように活用するのかという方法までは何も示されていない。
【０００８】
そこで本発明者は先に、特開２００４−３４１９６６公報（特許文献５参照）において、ＰＯＳレジの前にできた顧客の行列中の各顧客に対し、道路情報や観光情報、各種のイベント情報、動画ＣＭ等の広告情報、特売情報、占い情報や心理テスト情報、レシピ等の献立情報、チケットやクーポン券、サービス券の発行情報等を提供するとともに、当該画面をタッチパネルとして操作ボタンを設け、顧客自体が注文以外の各種の操作を行えるようにした商品販売・サービス提供のための会計処理システムを提案した。
【特許文献１】特開２００２−１９７１６１公報
【特許文献２】特開２０００−１２３０８８公報
【特許文献３】特開平９−２７０７９号公報
【特許文献４】特開２００１−３０７２３４公報
【特許文献５】特開２００４−３４１９６６公報
【発明の開示】
【発明が解決しようとする課題】
【０００９】
しかしながら、上述のように各顧客に対し、道路情報や観光情報、各種のイベント情報、動画ＣＭ等の広告情報、特売情報、占い情報や心理テスト情報、レシピ等の献立情報、チケットやクーポン券、サービス券の発行情報等を提供するとともに、当該画面をタッチパネルとして操作ボタンを設け、顧客自体が注文以外の各種の操作を行えるようにしたとしてもそれは単なる時間稼ぎにすぎず、各店舗においてどのように販売促進等に活用するのかという解決方法までは示されていない。
【００１０】
この発明の商品販売・サービス提供のための会計処理システムは、以上のような従来技術の問題点を解決することを目的として、各店舗のテーブルやカウンタ上に商品の販売・サービスの提供に関する注文を入力するディスプレイを配置することにより、店舗内の各顧客が商品の販売・サービスの提供に関する注文を入力できるようになっていて、かつ顧客によって選択された商品の販売・サービスの提供に関する注文を商品販売・サービス提供事業者が迅速に対応できるようにするものである。
【課題を解決するための手段】
【００１１】
前記目的を達成するために、この発明の商品販売・サービス提供のための会計処理システムは、
商品の販売・サービスの提供に伴って精算する会計処理システムにおいて、
この会計処理システムが、商品の販売・サービスの提供に関する注文を入力するディスプレイ、ＰＯＳレジ用機器およびコントロールセンタとで構成され、
前記ディスプレイは、各店舗のテーブルやカウンタ上に配置されており、顧客が商品の販売・サービスの提供に関する注文を入力できるようになっていて、かつ顧客によって選択された商品の販売・サービスの提供に関する注文をバーコードに記憶させたチケットやクーポン券、サービス券を発行するプリンタを備えており、
前記ＰＯＳレジ用機器は、商品の販売・サービスの提供の精算を行なうための、モニタ画面を備えたＰＯＳレジと、
ＰＯＳレジに接続され、商品の販売・サービスの提供に関する注文をバーコードに記憶させたチケットやクーポン券、サービス券のバーコード情報を読み取るバーコードリーダとを備えており、
コントロールセンタは、商品販売・サービス提供事業者に対して商品の販売・サービスの提供に関する注文をＦＡＸ送信する機能、および前記商品の販売・サービスの提供に関する注文を入力するディスプレイの画面に各種のコンテンツ情報を表示するためのコンテンツの作成およびコンテンツの配信機能を備えており、
前記商品の販売・サービスの提供に関する注文を入力するディスプレイの画面に設けた入力手段を操作することにより、商品販売・サービス提供事業者に対して商品の販売・サービスの提供に関する注文をＦＡＸ送信できるようにしたことを特徴としている。
【００１２】
この発明の商品販売・サービス提供のための会計処理システムは、前記コンテンツ情報を構成するコンテンツの内容が、道路情報や観光情報、各種のイベント情報、動画ＣＭ等の広告情報、特売情報、占い情報や心理テスト情報、レシピ等の献立情報、チケットやクーポン券、サービス券の発行情報等から選ばれてなることを特徴とするものである。
【００１３】
この発明の商品販売・サービス提供のための会計処理システムは、前記コンテンツ情報が、各曜日ごとや午前と午後、時間や分単位、あるいは予め定めた提供順序に応じたスケジュールで配信されてなることを特徴とするものである。
【００１４】
この発明の商品販売・サービス提供のための会計処理システムは、前記コンテンツ情報の出力が、プリンタによる印刷、携帯型端末へのデータの提供等から選ばれてなることを特徴とするものである。
【００１５】
この発明の商品販売・サービス提供のための会計処理システムは、前記携帯型端末へのデータの提供が、無線通信、ケーブル接続、記憶媒体の供与等による、カーナビやＰＤＡ、携帯電話、ＰＨＳ、車載テレビ等への画像データの提供からなることを特徴とするものである。
【発明の効果】
【００１６】
この発明の商品販売・サービス提供のための会計処理システムは以上のように構成したので、例えば各店舗中の各顧客が操作できるようにしたディスプレイを用いて、道路情報や観光情報、各種のイベント情報、動画ＣＭ等の広告情報、特売情報、占い情報や心理テスト情報、レシピ等の献立情報、チケットやクーポン券、サービス券の発行情報等を提供するとともに、当該画面をタッチパネルとして商品の販売・サービスの提供に関する注文を入力できるようになっており、単なる情報提供に止まらず、効果的な販売促進をも行えるようになった。
【００１７】
またこの発明の商品販売・サービス提供のための会計処理システムにおいては、上述のように各店舗のテーブルやカウンタ上に商品の販売・サービスの提供に関する注文を入力するディスプレイを配置して、店舗内の各顧客が商品の販売・サービスの提供に関する注文を入力できるようになっており、かつ顧客によって選択された商品の販売・サービスの提供に関する注文を商品販売・サービス提供事業者へＦＡＸ送信できるようにすることによって、店舗内の各顧客が商品の販売・サービスの提供に関する注文をした後、店舗管理者が迅速に送信の販売やサービスの提供のための処理が行えるようになった。
【発明を実施するための最良の形態】
【００１８】
以下、この発明の実施の形態に係る商品販売・サービス提供のための会計処理システムについて、図面に基いて詳細に説明する。
図１は、この発明の実施の形態に係る商品販売・サービス提供のための会計処理システムであって、店舗としてサービスエリアの売店を例にした全体構成図、図２は各店舗のテーブルやカウンタ上に配置したディスプレイにおける、初期の会計処理のモニタ画面（コンテンツの内容・・・商品の販売・サービスの提供に関する注文・周辺情報）の例を示す説明図、図３はプリンタで印刷した、バーコード表示を有するチケットの説明図である。
【００１９】
図１において、この発明に係る商品販売・サービス提供のための会計処理システムは、商品の販売・サービスの提供に関する注文を入力するディスプレイ１１、ＰＯＳレジ用機器１３およびコントロールセンタ１５とで構成されている。その概要は次の通りである。
［商品の販売・サービスの提供に関する注文を入力するディスプレイ］
・・・図中１１
ディスプレイ１１は各店舗のテーブルやカウンタ上に設置されている。その概要は次の通りである。
＜注文入力機能＞
前記ディスプレイ１１は、下記ＰＯＳレジ用機器１３およびコントロールセンタ１５の会計ネットワークに組み込まれており、かつ図２に示すようなモニタ画面１６を備えていて顧客が商品の販売・サービスの提供に関する注文をモニタ画面１６上でタッチパネル式に入力できるようになっている。
前記ディスプレイ１１はまたプリンタ１７を備えており、顧客によって選択された商品の販売・サービスの提供に関する注文をバーコード１９に記憶させたチケット１８やクーポン券、サービス券を発行することができるよう構成されている。
前記モニタ画面１６に表示されるものは次のとおりである。
＜コンテンツの受信機能＞
●コンテンツの内容
下記コントロールセンタに関する説明の通り。
●受信画面のレイアウト
解像度や注目度からモニタ中央に受信画面を配置することが望ましい。
●タッチパネルでメニューを選択することが可能である。
各メニューに応じて各種の操作を選択可能とする。
例えば、商品の販売・サービスの提供のためのチケット１８を印刷する「発券」ボタン２０−１を設ける。
例えば、５０円引きクーポン券を印字する「クーポン券」ボタン２０−２を設ける。
●受信画面と接続した専用のプリンタ１７でチケット１８と同様にクーポン券等を発行する。
●受信画面と接続した専用のプリンタ１７で観光情報や道路情報をプリントアウト可能とする。
＜入力メニュー画面等＞
文字スクロール表示・・・商品の販売・サービスの提供のための入力補助メニュー、ニュース項目や天気概況等を一定の速度で流す。
すなわち、前記モニタ画面１６上は、通常の商品の販売・サービスの提供のための入力メニュー画面２１と、顧客の待ち時間の無駄を解消し、有意義なものとするための情報提供表示の画面２３と、例えばニュース項目や天気概況等を一定の速度で流す文字スクロール表示の画面（帯ニュース）２５とで構成されている。もちろんこの基本的な構成を充足している限り、他の画面部分をも付加してもよい。
【００２０】
前記商品の販売・サービスの提供のための入力メニュー画面２１および情報提供表示の画面２３、文字スクロール表示の画面２５の各画面部分の配列は、例えば図２のように商品の販売・サービスの提供のための入力メニュー画面２１および情報提供表示の画面２３を左右に配置し、両者の下部に文字スクロール表示の画面２５を配置することができる。
【００２１】
前記モニタ画面１６としては、液晶表示その他のタッチモニタで構成することができるが、プラズマディスプレイ、有機ＥＬディスプレイ、あるいはその他の表示体を使用してもよい。
【００２２】
プリンタ１７は前記ディスプレイ１１に接続され、商品の販売・サービスの提供に関する注文をバーコード１９に記憶させたチケット１８や価格の割引のためのクーポン券、別の商品やサービスを提供するためのサービス券類、あるいはその他各種の券を発行することができる。その概要は次の通りである。
［プリンタの第１機能］・・・図中１７
＜チケット等の発券機能＞
●引換券の発券機能を備えている。
チケット１８等の種類としては、バーコード１９の印刷が施された硬質の紙製シートが望ましい。
●クレジットの発行機能を備えている。
クーポン券の値引き金額を設定しておく。
暗証番号の入力を可能としてクレジットの発行を可能とする。
有効期限を設定する（例：〜２００９／０３／末まで）。
このようなチケット１８やクーポン券、サービス券類の発行は、図２のような入力メニュー画面２１に表示されたチケットやクーポン券、サービス券の入力操作に基いて行なわれる。すなわち、前記画面の入力ボタン２１−１を操作して商品の販売・サービスの提供の種類を選択し、入力ボタン２１−２を操作して数量を入力し、それらの入力が確定したら発券ボタン２０−１を押すことにより、プリンタ１７からバーコード１９が表示されたチケット１８が発行される。
【００２３】
図３に該チケット１８の1例を示す。
チケット１８の印刷画面はどのようなフォーマットでもよいが、商品の販売・サービスの提供に関する注文の表示部分１８−１、各種情報の表示部分１８−２およびバーコード表示部分１８−３を備えていることが望ましい。中でもバーコード１９を印刷したバーコード表示１８−３は必須条件である。
【００２４】
［ＰＯＳレジ用機器］・・・図中１３
＜会計処理機能＞
ＰＯＳレジ用機器１３は、前記ディスプレイ１１とともに次の機器類から会計ネットワークを構成している。
ＰＣ：パソコン（事務所に設置）
ＰＯＳレジ＋プリンタ（その他の情報出力機器）
バーコードリーダ
ネットワーク用機器類（イントラネットの構築等）
先ず、ＰＯＳレジ用機器１３は、商品の販売・サービスの提供の精算を行なうためのモニタ画面３３を備えたＰＯＳレジ３１と、このＰＯＳレジ３１に接続され、精算のためのレシートを発行するプリンタ３５と、ＰＯＳレジ３１に接続され、商品の販売・サービスの提供に関する注文をバーコード１９に記憶させた前記チケット１８やクーポン券、サービス券類のバーコード情報を読み取るバーコードリーダ３７とを備えている。
なお、後述するところは商品の販売・サービスの提供の精算についてであるが、サービスエリアのレストランや軽食、ファーストフードその他の精算をＰＯＳレジ３１において同時に行なってもよいことはもちろんである。
【００２５】
［バーコードリーダ］・・・図中３７
＜チケット等の読み取り機能＞
読み取り不可の場合としては次のような理由が考えられる。
●チケット券の折れ等
●システムエラー
＜バーコードの記述内容＞
チケット券の清算金額や値引き金額
有効期限の設定（〜２００９／０３／末まで）
このバーコードリーダ３７によって読み込まれた、チケット１８やクーポン券、サービス券類のバーコード１９に記憶させたバーコード情報は、商品の販売・サービスの提供の精算を行なうためのモニタ画面３３に組み込まれた後、精算処理が施される。したがって、より迅速に各種のチケット１８やクーポン券、サービス券に関する会計処理を施すことができ、チケット１８等の折り曲げ等による不具合を避けることができる。
【００２６】
次にＰＯＳレジ用機器１３においては、商品の販売・サービスの提供を注文した顧客に対する発送先や発送希望日の確認や入力を行うことが必要となる。
すなわち、顧客に予め準備しておいた発送先等の記入書類に発送先や希望の発送日等を記入してもらったり、レジ係が口頭で聞いた発送先や発送希望日等を所定の入力画面に入力することによって発送先や発送希望日の確認や入力を行う。
もちろん、所定の入力機器を準備しておき、顧客本人に発送先や発送希望日を入力してもらうこともできる。発送先等の記入書類を用いる場合には、ＯＣＲ等で読み取って簡単に電子データに変えることができる工夫をしておくことが望ましい。
【００２７】
このようにして商品の販売・サービスの提供を注文した顧客に対する発送先や発送希望日の確認や入力を行った後は、事務所のＰＣを用いて商品販売・サービス提供事業者に対して商品の販売・サービスの提供に関する注文をＦＡＸ送信する。
このような商品販売・サービス提供事業者に対する商品の販売・サービスの提供に関する注文のＦＡＸ送信に際しては、電子メールでＦＡＸ送信するサービス、例えばＦＡＸＩＭＯ（ファクシモ：株式会社エディックワークス製）による送信等を利用することができる。
以上のように、各店舗のテーブルやカウンタ上に商品の販売・サービスの提供に関する注文を入力するディスプレイ１１を配置して、店舗内の各顧客が商品の販売・サービスの提供に関する注文を入力できるようになっており、かつ顧客によって選択された商品の販売・サービスの提供に関する注文を商品販売・サービス提供事業者へＦＡＸ送信できるようにすることによって、店舗内の各顧客が商品の販売・サービスの提供に関する注文をした後、店舗管理者が迅速に送信の販売やサービスの提供のための処理が行えるようになった。
【００２８】
次にコントロールセンタ１５は、前記ディスプレイ１１のモニタ画面１６に各種のコンテンツ情報を表示するためのコンテンツの作成およびコンテンツの配信機能を備えている。その概要は次の通りである。
［コントロールセンタ］・・・図中１５
＜コンテンツ配信機能＞・・・コンテンツの作成機能を備えていてもよい。
●コンテンツの内容としては次のような項目が挙げられる。
商品の販売・サービスの提供に関する情報
道路情報（混雑や渋滞、天気、事故等）・観光情報（付近）
ＣＭ等の広告情報（画像を主とするもの）
チケット・クーポン券・サービス券（例えばガソリン１ｌサービス）の発行
イベント情報（店内や周辺地域）
店内における特売情報
占い（運勢・血液型・相性）・心理テスト（相性・適性）
献立のレシピ（夕食）
●コンテンツの配信方法としては次のような項目が挙げられる。
ａ）日替わり・分単位で配信する
例・・・月曜日：ＡＭ→クーポン券発行画面
ＰＭ→道路情報
火曜日：ＡＭ→‐‐‐‐‐‐‐‐‐
ＰＭ→‐‐‐‐‐‐‐‐‐
水曜日：ＡＭ→‐‐‐‐‐‐‐‐‐
ＰＭ→‐‐‐‐‐‐‐‐‐
ｂ）予めコントロールセンタから配信されたコンテンツの内容（データ）をスケジュールにしたがってメニューが変わる。
【００２９】
前記ディスプレイ１１のモニタ画面１６に表示された各種のコンテンツ情報にも、タッチパネル式の操作ボタンである表示ボタンを設けることができ、表示ボタンを操作することにより各種のコンテンツ情報の出力を行なえるようにすることが望ましい。前記コンテンツ情報の出力は、前記プリンタ１７で印刷することができる。もちろん、これとは別のプリンタで出力してもよい。
［プリンタの第２機能］・・・図中１７
＜モニタ画面に受信した画像等の印刷機能＞
●モニタ画面に表示した観光情報や道路情報を印刷する。
用紙の種類としては、普通紙や感熱紙、インクジェット用の用紙等が好適に使用できる。
印刷の対象としては、特売情報、イベント情報、観光情報や道路情報、その他が挙げられる。
前記ディスプレイ１１のモニタ画面１６のタッチパネル式操作ボタンを操作して印刷する。
そして、以上のようにモニタ画面１６に表示した、例えば道路情報や観光情報、各種のイベント情報、動画ＣＭ等の広告情報、特売情報、占い情報や心理テスト情報、レシピ等の献立情報、チケットやクーポン券、サービス券の発行情報等をプリンタ１７の第２機能を用いて印刷することにより、これらの情報をより有効に活用することができるようになったのである。
【００３０】
前記コンテンツ情報の出力は、携帯型端末へのデータの提供とすることもできる。すなわち、コンテンツ情報の出力（画像や音声データの提供）を無線通信やケーブル接続、記憶媒体の供与等によって行うことができる。そして、このようなコンテンツ情報の出力対象としては、カーナビやＰＤＡ、携帯電話、ＰＨＳ、車載テレビ等が挙げられる。その概要は次の通りである。
［外部携帯端末］
＜受信画面のデータ出力＞
●携帯端末等へのデータ転送を行なうことができる。
カーナビ、携帯電話、ＰＨＳ、ＰＤＡ、車載テレビ
転送方法としては、記憶媒体（ＦＤ、ＣＤ、ＤＶＤ等）を介したり、ケーブルの接続、無線通信等を利用して行なうことができる。
【産業上の利用可能性】
【００３１】
この発明の商品販売・サービス提供のための会計処理システムは以上のように構成したので、例えばサービスエリア等の店舗内の各顧客に対し、各店舗中の各顧客が操作できるようにしたディスプレイを用いて、道路情報や観光情報、各種のイベント情報、動画ＣＭ等の広告情報、特売情報、占い情報や心理テスト情報、レシピ等の献立情報、チケットやクーポン券、サービス券の発行情報等を提供するとともに、当該画面をタッチパネルとして商品の販売・サービスの提供に関する注文を入力できるようになっており、単なる情報提供に止まらず、効果的な販売促進をも行えるようになった。
したがって、サービスエリアやレストラン、食堂その他の飲食店、喫茶店、アミューズメントストアやアミューズメントパーク等のみならず、各種の店舗や施設における商品の販売・サービスの提供に好適に利用することができる。
【図面の簡単な説明】
【００３２】
【図１】この発明の実施の形態に係る商品販売・サービス提供のための会計処理システムであって、店舗としてサービスエリアの売店を例にした全体構成図である。
【図２】各店舗のテーブルやカウンタ上に配置したディスプレイにおける、初期の会計処理のモニタ画面（コンテンツの内容・・・商品の販売・サービスの提供に関する注文・周辺情報）の例を示す説明図である。
【図３】プリンタで印刷した、バーコード表示を有するチケットの説明図である。
【符号の説明】
【００３３】
１１  ディスプレイ
１３  ＰＯＳレジ用機器
１５  コントロールセンタ
１６  モニタ画面
１７  プリンタ
１８  チケット
１８−１  注文表示部分
１８−２  各種情報の表示部分
１８−３  バーコード表示部分
１９  バーコード
２０−１  「発券」ボタン
２０−２  「クーポン券」ボタン
２１  入力メニュー画面
２１−１  入力ボタン
２１−２  入力ボタン
２３  情報提供表示の画面
２５  文字スクロール表示の画面（帯ニュース）
３１  ＰＯＳレジ
３３  モニタ画面
３５  プリンタ
３７  バーコードリーダ
【図１】
2010079607.tif 000003
【図２】
2010079607.tif 000004
【図３】
2010079607.tif 000005